(57)【要約】      （修正有）【課題】引き出したホースの内巻き状態への巻き戻しが簡単且つ容易にできるようにする。【解決手段】消火栓装置１０は消火時に筐体１２の消火栓扉を開いてノズル付きホース４４を引き出して消火する。筐体１２のホース収納部３０には、ホース４４を内巻きにて収納したリール３４が回転自在に取り付けられ、通常時及びホース引き出し時は、回転固定部３８によりリール３４の回転固定し、ホース巻き戻し時にはリール３４を回転可能とし、リール３４を手で回しながらホース４４をリール３４内に内巻きにて巻き戻す。配管着脱部４０はリール３４の回転固定時にホース１次接続部に対し消火配管を接続し、リール回転時にはホース１次接続部から消火配管を切り離す。【選択図】図２
2009297198.tif 000002
【特許請求の範囲】
【請求項１】
消火時に筐体からノズル付きホースを引き出して消火する消火栓装置に於いて、
前記筐体内に回転自在に取り付けられ、前記ホースを内巻きにて収納したホース収納部と、
前記ホース収納部の回転を固定する固定位置と、前記ホース収納部を回転可能とする回転位置とに切替える回転固定部と、
を備えたことを特徴とする消火栓装置。
【請求項２】
請求項１記載の消火栓装置に於いて、前記ホース収納部は、
扉側に開口を備え、ホースを内巻きするリールと、
前記リールを筐体内に回転自在に支持する回転軸部と、
操作者が回転させるために前記リールに設けた切欠又は手摺などの回転操作部と、
を備えたことを特徴とする消火栓装置。
【請求項３】
請求項１記載の消火栓装置に於いて、前記ホース収納部は、
円形または多角形の回転板と、
前記回転板を筐体内に回転自在に支持する回転軸部と、
前記回転板の外周側に起立されて先端を中心側に屈曲してホース収納空間を画成する複数のホースガードと、
前記複数のホースガードに固定されてホース引き出し開口を前記回転板の中央の前方位置に形成するホースガイドと、
を備えたことを特徴とする消火栓装置。
【請求項４】
請求項１記載の消火栓装置に於いて、前記ホース収納部は、
円形または多角形の回転板と、
前記回転板を筐体内に回転自在に支持する回転軸部と、
前記回転板の外周側に起立されて先端を中心側に屈曲してホース収納空間を画成する複数のホースガードと、
を備え、
更に、前記ホース収納部に設けた前記回転板の中央の前方位置にホース引き出し開口を形成するホースガイドを筐体に固定配置したことを特徴とする消火栓装置。
【請求項５】
筐体内に回転自在に取り付けられ、ノズル付きホースを内巻きにて収納したホース収納部と、
前記ホース収納部の回転を固定する固定位置と、前記ホース収納部を回転可能とする回転位置とに切替える回転固定部と、
を備えた消火栓装置の操作方法に於いて、
通常時及びホース引き出し時は、前記回転固定部を固定位置に切替えて前記ホース収納部を固定し、
ホース巻き戻し時は、前記回転固定部を回転位置に切替えて前記ホース収納部を回転可能とする、
ことを特徴とする消火栓装置の操作方法。
【発明の詳細な説明】
【技術分野】
【０００１】
本発明は、消火時に筐体の消火栓扉を開いてノズル付きホースを引き出して消火する消火栓装置及び操作方法に関する。
【背景技術】
【０００２】
従来、自動車専用道路などのトンネル内には、火災発生時に備えて消火栓装置が設置されている。
【０００３】
図１１は従来の消火栓装置１００の消火栓扉１０２を開いた状態の説明図であり、消火栓扉１０２に設けているハンドルレバーを手前に引くことでロックを解除し、消火栓扉１０２を下側を回転軸に前方に開放することができる。
【０００４】
消火栓扉１０２を開いた筐体のホース収納部１０４には、先端にノズル１０６を装着したホース１０８を内巻きして収納されている。消火の際には、ノズル１０６を引き出し、扉内に設けている消火栓弁開閉レバー１１０を操作することで消火ポンプ設備を起動して放水を行うことができる。
【０００５】
ホース収納部１０４に対しては、ホースバケット１１２の内面、内壁背面によってホース１０８が内巻き状態に支えられている。
【特許文献１】特許第３６３７５５９号公報
【発明の開示】
【発明が解決しようとする課題】
【０００６】
しかしながら、このような従来のホースを内巻きにして収納した消火栓装置にあっては、消火後に引き出したホースをホース収納部に内巻き状態に巻き戻す作業が大変であり、復旧に手間と時間かかかるという問題がある。
【０００７】
即ち、ホース収納部１０４にホース１０８を収納する際には、ホースバケット１１２の中央開口部からホース１０８を送り込みながら、筐体の内壁上面、ホースバケット１１２の内面、内壁下面、ホースバケット１１２の内面、内壁上面というように順にホース１０８がホース収納部１０４の内部に沿うように巻き取っていく。
【０００８】
このときホース１０８が重量物であるため、巻き取りにくく、また、ホース１０８がねじれると巻き取りに失敗するため、ホース１０８を送り込む際にねじれを取るように回しながら巻き取る作業を行う必要があり、手間と時間がかかる問題がある。
【０００９】
本発明は、引き出したホースの内巻き状態への巻き戻しが簡単且つ容易にできるようにする消火栓装置及び操作方法を提供することを目的とする。
【課題を解決するための手段】
【００１０】
（消火栓装置）
本発明は、消火時に筐体からノズル付きホースを引き出して消火する消火栓装置に於いて、
筐体内に回転自在に取り付けられ、ホースを内巻きにて収納したホース収納部と、
ホース収納部の回転を固定する固定位置と、ホース収納部を回転可能とする回転位置とに切替える回転固定部と、
を備えたことを特徴とする。
【００１１】
ここで、ホース収納部は、
扉側に開口を備え、ホースを内巻きするリールと、
リールを筐体内に回転自在に支持する回転軸部と、
操作者が回転させるためにリールに設けた切欠又は手摺などの回転操作部と、
を備える。
【００１２】
また、ホース収納部は、
円形または多角形の回転板と、
回転板を筐体内に回転自在に支持する回転軸部と、
回転板の外周側に起立されて先端を中心側に屈曲してホース収納空間を画成する複数のホースガードと、
複数のホースガードに固定されてホース引き出し開口を前記回転板の中央の前方位置に形成するホースガイドと、
を備えた構造としても良い。
【００１３】
また、ホース収納部は、
円形または多角形の回転板と、
回転板を筐体内に回転自在に支持する回転軸部と、
回転板の外周側に起立されて先端を中心側に屈曲してホース収納空間を画成する複数のホースガードと、
を備え、
更に、ホース収納部に設けた回転板の中央の前方位置にホース引き出し開口を形成するホースガイドを筐体に固定配置した構造としても良い。
（操作方法）
本発明は、
筐体内に回転自在に取り付けられ、ノズル付きホースを内巻きにて収納したホース収納部と、
ホース収納部の回転を固定する固定位置と、ホース収納部を回転可能とする回転位置とに切替える回転固定部と、
を備えた消火栓装置の操作方法に於いて、
通常時及びホース引き出し時は、回転固定部を固定位置に切替えてホース収納部を固定し、
ホース巻き戻し時は、回転固定部を回転位置に切替えてホース収納部を回転可能とする、
ことを特徴とする。
【発明の効果】
【００１４】
本発明によれば、ホースを内巻きするホース収納部を筐体に対し回転自在に取り付け、通常時及びホース引き出し時はホース収納部を回転しないように固定し、一方、ホースを巻き戻す際には、ホース収納部の固定を解除して回転可能とし、ホース収納部を作業者が手で回しながら開口部からホースを送り込むことで、ホースを従来のようにホース収納部の内側に沿って順に送り込む作業が不要となり、ホース送り込み位置を変えることなくホース収納部側を回すことで、簡単且つ容易にホースを内巻き状態に巻き取ることができる。
【発明を実施するための最良の形態】
【００１５】
図１は本発明による消火栓装置の第１実施形態を示した説明図である。図１において、消火栓装置１０は架台１１上に箱型の筐体１２を設置しており、筐体１２の前面右側には、下側をヒンジに上部を前方に開放自在な消火栓扉１４が設けられている。消火栓扉１４の内部には、後の説明で明らかにするように、ノズル式ホースを内巻き状態で収納したホース収納部とバルブ収納部が設けられている。消火栓扉１４はハンドル２８を引くことでラッチを解除して開くことができる。
【００１６】
筐体１２の左側には消火器扉１８が設けられ、ハンドル２０を操作することで扉を横に開いて、内部の消火器を取り出すことができる。消火栓扉１４と消火器扉１８の間には操作表示部１６が設けられる。操作表示部１６には、赤色表示灯２２、手動発信機２４及び応答ランプ２６が設けられている。本実施形態の消火栓装置１０を設置したトンネル内での火災事故の際には、手動発信機２４の釦操作により監視室などに異常を通報することができ、火災通報が行われると応答ランプ２６が点灯する。
【００１７】
図２は図１の第１実施形態に続いて消火栓扉を外して内部構造を示した説明図である。図２において、消火栓装置１０の筐体１２の中央内部にはホース収納部３０が形成され、その右側にバルブ類収納部３２が形成されている。
【００１８】
ホース収納部３０には、前方に開口したリール３４が回転軸部３６により筐体１２に対し回転自在に取り付けられている。リール３４の筐体内壁面側には回転固定部３８が例えば３箇所に設けられている。
【００１９】
回転固定部３８としては、リール３４側に設けている固定片をボルトなどにより筐体１２側にねじ込み固定し、ボルトを外すことでリール３４の回転を可能とする。即ち回転固定部３８は、リール３４を固定する固定位置と、リール３４の回転を可能とする回転位置とに、ボルトなどの着脱により切り替える構造を有する。
【００２０】
またホース収納部３０を構成するリール３４の右側のバルブ類収納部３２側からの配管５５と、リール３４に内巻きしているホース１次接続部との間には、配管着脱部４０が設けられている。
【００２１】
配管着脱部４０はホース１次接続部に対し配管５５を接続する装着位置と、ホース１次接続部から配管５５を切り離す離脱位置とに切り替える構造を有する。この配管着脱部４０により配管５５を接続した状態で、リール３４は回転固定部３８により固定位置に置かれ、一方、回転固定部３８を回転位置に切り替える際には配管着脱部４０を離脱位置として配管５５との接続を切り離す。この配管着脱部４０による配管５５のリール３４側への着脱は、回転固定部３８の場合と同様、取扱者の操作により行われる。
【００２２】
リール３４に対する配管着脱部４０側のホース１次接続部に対してはホース４４の一端が接続されており、この状態でホース４４はリール３４の開口部から巻き込まれて内巻き状態に保持されている。
【００２３】
リール３４は開口側にリング状の鍔部を形成しており、この鍔部には一定間隔で切欠４２が設けられている。切欠４２は、リール３４を回すために手を掛ける回転操作部として設けられている。なお回転操作部としては、切欠４２に代え、リール３４の開口側外周部に手摺などを設けるようにしてもよい。
【００２４】
ホース収納部３０の右側のバルブ類収納部３２には、給水接続口５０に続いて、消火栓弁５４、自動排水弁５６及び自動調圧弁５８が設けられ、自動調圧弁５８の２次側を配管５５から配管着脱部４０を介して、リール３４に内巻きしているホース４４の１次接続部に接続している。
【００２５】
消火栓弁５４は、消火栓扉の内側に設けている後の説明で明らかにする消火栓弁開閉レバーとワイヤー接続されており、レバー操作に従って弁の開閉を行うことができる。自動排水弁５６は、通常時にあっては２次側を排水するようにしている。自動調圧弁５８は、放水時にホース４４側からの放水圧力を規定圧に自動調整する。
【００２６】
図３は図１の第１実施形態について消火栓扉を開放した状態で内部構造を示した平面断面図である。図３において、消火栓扉１４は筐体１２に対し下側のヒンジにより開閉自在に取り付けられており、筐体１２との間には緩衝用ダンパ６２が設けられ、消火栓扉１４を滑らかに開放できるようにしている。
【００２７】
筐体１２のホース収納部３０には、回転軸部３６により回転自在にリール３４が取り付けられており、リール３４の内部にはホース４４が内巻き状態で収納されており、ホース４４の２次側に接続したノズル４６がリール３４の開口部から取り出され、消火栓扉１４側に設けている下向きＵ字型のホースガイド４８を通して、扉内部のノズルホルダに装着されている。
【００２８】
消火栓扉１４の内側の右側部分には消火栓弁開閉レバー６０が設けられ、消火栓弁開閉レバー６０を手前に操作することで、ワイヤーで連結された図２の消火栓弁５４を放水位置に切り替えることができる。このとき、図示しないレバーの下部に設けているポンプ起動用の連動スイッチがオンし、消火ポンプ設備のポンプ起動を行うようになる。
【００２９】
ノズル４６からの放水を停止したい場合には、消火栓弁開閉レバー６０を図示の初期位置に戻す。この初期位置への戻しにより、ワイヤー連結されている消火栓弁５４の給水が停止される。同時に、レバー下部の図示しない連動スイッチがオフとなって消火ポンプ設備を停止できる状態となる。
【００３０】
図４は図１の第１実施形態で消火栓扉を開放した状態での側面図であり、前方に下側をヒンジとして開放した消火栓扉１４の上部には下向きＵ字型のホースガイド４８が起立しており、その中を通って、図３に示したようにノズル４６を装着したホース４４が引き出されている。また図４にあっては、消火栓弁開閉レバー６０を手前に操作して放水位置に切り替えた状態を示している。
【００３１】
図５は図１の第１実施形態におけるリールの回転軸部の構造を取り出して示した断面図である。図５において、回転軸部３６は一端にフランジを形成し、他端にねじ部を形成した軸部材３６ａを有し、軸部材３６ａに対し固定プレート３６ｄを嵌め入れた後に、間にスラスト針状ころ３６ｃを入れてリール３４を嵌め入れ、続いてスラスト針状コロ３６ｃを介して止めリング３６ｂをねじ込んで固定し、これにより軸部材３６ａに対しリール３４側を回転自在に取り付けている。
【００３２】
固定プレート３６ｄの背後には取付ホイール３６ｅがボルトにより固定され、取付ホイール３６ｅを筐体１２の背面側にボルト３６ｆにより固定し、これによってリール３４を筐体１２に対し回転自在に取り付けている。
【００３３】
このような回転軸部３６の構造にあっては、前方に開放した図２に示したリール３４を、リール３４の筐体背面側の円盤部分の片持ち支持で回転自在に取り付けており、リール３４のプレート部分を回転自在に支持する構造として、回転軸部３６にリング状に配置している複数のスラスト針状コロ３６ｃによる挟込み支持で回転自在として支持しているため、片持ち構造であっても、面ブレを起こすことなく滑らかにリール３４をバランスよく回転させることができる。
【００３４】
次に図１〜図５に示した第１実施形態におけるホースの巻戻し作業を説明する。まず通常の監視状態にあっては、図２に示したように、ホース収納部３０に回転軸部３６により回転自在に設けているリール３４は、回転固定部３８を回転固定位置に切り替えている。具体的には回転固定部３８の固定片に対しボルトなどをねじ込んでリール３４の回転を固定している。同時に配管着脱部４０によりバルブ類収納部３２側からの配管５５をリール３４側のホース１次接続部に接続する装着位置に切り替えた状態としている。
【００３５】
このようなリール３４の回転固定状態で本実施形態の消火栓装置１０を設置しているトンネル内で火災事故が発生した場合には、図３に示すように消火栓扉１４を開いた後にノズル４６を取り出してホース４４を引き出し、消火栓弁レバー６０を図４に示すように手前に操作することで、ポンプ設備を起動して、ノズル４６から消火用水を放水することになる。
【００３６】
このノズル４６からの放水のためにホース４４を引き出す際には、リール３４は回転が固定されているため、リール３４が回転することなく、内巻き状態にあるホース４４を十分に軽い力でホース収納部３０から引き出すことができる。
【００３７】
ノズル４６による放水を消火栓弁レバー６０を初期位置に戻すことにより停止した後は、ホース４４をホース収納部３０に戻す復旧作業を行うことになる。この復旧作業の際には、図２のリール３４の３箇所に設けている回転固定部３８によるリール３４の固定を解除してリール３４を回転可能にすると同時に、配管着脱部４０をリール３４側のホース１次接続部から取り外す。
【００３８】
この状態でリール３４は、作業者により自由に回すことができる。作業者は、リール３４の開放側外周に形成されている切欠４２に手を掛けてホース４４をリール３４内に送り込みながらリール３４を例えば右方向に回転させることで、簡単且つ容易にリール３４の内部にホース４４を内巻き状態で収納することができる。
【００３９】
即ち図１１に示した従来の消火栓装置にあっては、ホースをホース収納部１０４を形成しているホースバケット１１２で囲まれた空間内に内部空間に沿って１方向に回転させるようにホースを順次崩さないように引き込む作業を必要としていたが、本実施形態にあっては、ホース４４の引込み位置はほとんど動かす必要がなく、ホースを動かさない代わりにリール３４を回すことで、ホース４４のねじれを取りながら容易にリール３４の中にホース４４を巻き戻して内巻き状態に収納することができる。
【００４０】
リール３４に対するホース４４の巻戻しが終了したならば、回転固定部３８によりリール３４を回転固定位置に切り替え、更に配管着脱部４０により配管５５をリール３４側のホース１次接続部に接続し、このホース収納が済んだならば、消火栓扉１４を図１に示すような閉鎖位置に戻すことで、消火栓装置１０の復旧作業を完了する。
【００４１】
図６は本発明による消火栓装置の第２実施形態を示した説明図であり、消火栓扉を外した状態で内部構造を示している。また図７は消火栓扉を開放した状態で示した平面断面図である。
【００４２】
図６において、第２実施形態にあっては、筐体１２のホース収納部３０に、ほぼ八角形の外形を持つ回転板６４を、その中心部に設けた回転軸部６６により回転自在に取り付けている。
【００４３】
回転板６４は上下２箇所に回転固定部７０を設けており、回転固定部７０としては、取付片に対しボルトにより筐体１２の背面部の壁面に取り付けることで回転を固定する固定位置となり、ボルトを外すことで回転盤６４を回転可能とする回転位置に切り替える。
【００４４】
回転盤６４の外周側の直交する４箇所にはホースガード６８が設けられている。ホースガード６８は、回転板６４の外周側から起立した後に図７に示すように先端部を扉面と平行な方向に屈曲したＬ字型に屈曲したフレーム部材である。このホースガード６８を回転板６４の４箇所に取り付けることで、４箇所の外側から回転板６４の前方部分を包み込んで、ホース収納空間を画成している。
【００４５】
更にホースガード６８により囲まれた回転板６４の前方の空間の中心部分には、中央のリング部から十字方向に取付片を延在したホースガイド７２が、ホースガード６８のそれぞれに対するボルトなどによる取付け固定で支持されており、ホースガード６８の先端側にホース引出し用の開口を形成している。
【００４６】
また回転盤６４の右側のバルブ類収納部３２側からの配管５５と回転盤６４側に設けているホース１次接続部との間には配管着脱部７３が設けられている。配管着脱部７３は、回転盤６４を回転固定部７０により固定位置に設定している際には、配管５５をホース１次接続部に接続する装着位置となり、回転固定部７０を外して回転位置に設定した場合には、配管５５を回転盤６４のホース１次接続部から切り離して離脱位置とする。
【００４７】
図８は図６のホース収納部を取り出して示した説明図であり、図８（Ａ）に正面図、図８（Ｂ）に平面図を示している。
【００４８】
図８において、ホース収納部３０は、ほぼ八角形の回転板６４の中心部分を回転軸部６６により筐体１２の壁面に回転自在に取り付けており、この回転軸部６６の構造は図５に示した第１実施形態と同じ構造である。
【００４９】
回転板６４の４箇所にはホースガード６８が外周側をボルト固定により取り付けられており、ホースガード６８は外周側で手前側に起立した後に中心方向に屈曲し、これによって回転盤６４の前方部分にホースを収納する空間を画成している。
【００５０】
更に回転板６４から起立した４つのホースガード６８の先端で囲まれた空間には、ホース引出し開口を形成するため、ホースガイド７２がリング部に対する十字方向の取付け片のホースガード６８の先端に対するボルト締めで固定配置されている。
【００５１】
また回転板６４の右側のホースガード６８の部分にはホース１次接続部７４が取り付けられており、ここにホース収納部に引き込むホースの１次側を接続し、更にホース接続部７４の外部からはバルブ類収納部に設けている配管５５が、図６に示した配管着脱部７２により着脱自在に装着されることになる。
【００５２】
この図６〜図８に示した第２実施形態にあっては、ホース収納部３０の構造が回転盤６４、ホースガード６８及びホースガイド７２の組立体として構成され、図１の第１実施形態におけるリール３４に比べ構造的に簡単で、また重量的にも軽くすることができ、重量が軽ければ回転軸部７０の支持構造としても強度の低いものが使用でき、全体として軽量でコスト的に安価な回転自在なホース収納部３０を実現することができる。
【００５３】
図９は本発明による消火栓装置の第３実施形態を示した説明図であり、消火栓扉を外して内部構造を示しており、図１０は消火栓扉を開いた状態で示した平面断面図である。
【００５４】
図９の第３実施形態にあっては、基本的には図６〜図８の第２実施形態と同じであり、ホース収納部３０としては、図８に示したと同じ回転板６４に４つのホースガード６８を設けた構造であるが、ホースガード６８の先端中心部に設けているホースガイド７２を廃止し、このホースガイド７２に代えて、図９に示すように、ホース収納部３０の中心部の前方に取付部７８により筐体１２に固定支持する形で独立した配置としてホースガイド７６を設けるようにしたことを特徴とする。
【００５５】
このようにホース収納部３０からホースガイド７６を分離して筐体側に独立して配置することで、ホース収納部３０の構造を更に簡単にして、軽量化とコスト低減を図ることができる。
【００５６】
次に図６〜図８に示した第２実施形態の操作としては、通常時及びホース引出し時にあっては、回転固定部７０により回転盤６４を固定位置とし、且つ配管着脱部７２により配管５５をホース１次接続部に装着した状態としており、この状態で消火栓扉を図７のように開き、ノズル４６を持って、ホース４４を固定されている回転軸部６６のホースガード６８の内側から軽い力で引き出すことができる。
【００５７】
ホースを引き出して消火した後の復旧作業の際には、回転固定部７０による固定を外し、同時に配管着脱部７２によりホース１次接続部を配管５５側から切り離し、回転板６４を回転可能とする。
【００５８】
この状態で、ホース４４をホースガイド７２の開口を通して内部に送り込みながら回転板６４を回すことで、ホース４４の送り込み位置を変えることなく、回転板６４を回すことで、ホースガード６８の内側にホースを簡単且つ容易に巻き取ることができる。
【００５９】
なお上記の実施形態にあっては、ホース収納部として図１の第１実施形態にあってはリールを使用し、また図６あるいは図９の第２実施形態及び第３実施形態にあっては回転板６４にＬ字型に屈曲したホースガードを取り付けた籠型構造のものを使用しているが、筐体に対し回転自在な構造であれば適宜のホース収納部の構造を採用することができる。
【００６０】
また、ホース収納部を構成するリールや回転板を回転位置と固定位置とに切り替える回転固定部７０としても、固定片をボルトの着脱で切り替える構造以外に、適宜のワンタッチ構造による固定と回転の切替えを可能にしてもよい。
【００６１】
また、配管着脱部４０は、上記実施形態の位置に限らず、たとえばリール３４の背後の回転軸部３６まで配管５５がのびて回転軸部３６の内部を通ってホース４４の１次側と回転自在に接続するようにしても良い。
【００６２】
また、図６の第２実施形態のホースガイド７２は着脱自在として、消火後のホースの復旧時はホースガイド７２を取り外して図２のように前方開口部をひろくしてホースを収納させても良い。図９のホースガイド７６も取付部材７８から前方に倒れてホース収納を容易にしても良い。
【００６３】
図６や図９のホースガイド７２，７６の円の内径は、図のように限らず、ホース収納部３０周囲のホースガイド６８の位置まで広げた径であっても良い。
また本発明は、その目的と利点を損なうことのない適宜の変形を含み、更に上記の実施形態に示した数値による限定は受けない。
【図面の簡単な説明】
【００６４】
【図１】本発明による消火栓装置の第１実施形態を示した断面図
【図２】図１について消火栓扉を外して内部構造を示した説明図
【図３】図１の消火栓扉を開放した状態で内部構造を示した平面断面図
【図４】図１の消火栓扉を開放した状態で示した側面図
【図５】図１の実施形態におけるリールの回転軸部の構造を取り出して示した断面図
【図６】本発明による消火栓装置の第２実施形態を示した断面図
【図７】図６について消火栓扉を開放した状態で内部構造を示した平面断面図
【図８】図６のホース収納部を取り出して示した説明図
【図９】本発明による消火栓装置の第３実施形態を示した断面図
【図１０】図９について消火栓扉を開放した状態で内部構造を示した平面断面図
【図１１】従来の消火栓装置を示した説明図
【符号の説明】
【００６５】
１０：消火栓装置
１１：架台
１２：筐体
１４：消火栓扉
１６：操作表示部
１８：消火器扉
２２：赤色表示灯
２４：手動発信機
２６：応答ランプ
２８：ハンドル
３０：ホース収納部
３２：バルブ類収納部
３４：リール
３６，６６：回転軸部
３６ａ：軸部材
３６ｂ：止めリング
３６ｃ：スラスト針状ころ
３６ｄ：固定プレート
３６ｅ：取付ホイール
３６ｆ：ボルト
３８，７０：回転固定部
４０：配管着脱部
４２：切欠
４４：ホース
４６：ノズル
４８，７２，７６：ホースガイド
５０：給水接続口
５２：給水弁
５４：消火栓弁
５６：自動排水弁
５８：自動調圧弁
６０：消火栓弁開閉レバー
６２：ショックアブソーバ
６４：回転板
６８：ホースガード
７４：ホース１次接続部
７８：取付部
【図１】
2009297198.tif 000003
【図２】
2009297198.tif 000004
【図３】
2009297198.tif 000005
【図４】
2009297198.tif 000006
【図５】
2009297198.tif 000007
【図６】
2009297198.tif 000008
【図７】
2009297198.tif 000009
【図８】
2009297198.tif 000010
【図９】
2009297198.tif 000011
【図１０】
2009297198.tif 000012
【図１１】
2009297198.tif 000013